(57)【要約】      （修正有）【課題】容器の中の液体物を注出するときに、容器の中の液体物が飛散してしまうことを防止する。【解決手段】液体用容器１１は、厚紙１２に耐水薄膜を設けて成るパック素材を前記耐水薄膜側を内側にして折りたたみ、接着剤により接着して製造される液体用容器１１であり、前記パック素材を折りたたんで形成される耳部分１５の前記原紙１２に空気注入孔１を設けた。液体用容器１１を使用する際は、液体用容器１１の耳部分１５を持ち上げ、接着剤で接着された部分をはがし、前記厚紙１２に設けられた前記空気注入孔１覆うように設けられた耐水薄膜を破ることによって容器内の中に空気がスムーズに入り液体物を注出するときに液体物の漏れや飛散を防ぐ。【選択図】図１
2014125278.tif 000002
【特許請求の範囲】
【請求項１】
原紙１２に耐水薄膜１３を設けて成るパック素材１４を前記耐水薄膜１３側を内側にして折りたたみ、接着剤により接着して製造される液体用容器１１であって、前記パック素材１４を折りたたんで形成される耳部分１５の前記原紙１２に空気注入孔１を設けたことを特徴とする液体用容器。
【請求項２】
前記空気注入孔１は前記耳部分１５の折りたたまれた状態の外側に設けられてなることを特徴とする請求項１に記載された液体用容器。
【発明の詳細な説明】
【技術分野】
【０００１】  この発明は、清涼飲料物又は酒等を収容するための液体用容器に関する。
【背景技術】
【０００２】  従来の液体用容器は、図１０の斜視図に示されているような紙パック容器が、特開２０００−３１３４３５に開示されている。この紙パック容器は、内側壁面にアルミ箔やポリエチレン樹脂膜等を設けて成る耐水薄膜層が設けられた厚紙部を筒状とし、上下端縁を封止するように結合するとともに側壁面部を箱状に折り曲げ、上下それぞれの左右側に突出している角耳部分を側壁面に添うように折り曲げ接着、結合して全体が矩形箱状となるよう組み立て形成されている。さらに、当該紙パック容器本体の天面に設けられた開口部を覆っている被覆体に容器本体の側面に貼付されたストローを用いて突き刺し、容器の中の液体物を注出可能とするストロー刺通用部を形成してなる構造のものである。【０００３】  また、内側壁面にアルミ箔やポリエチレン樹脂膜等を設けて成る耐水薄膜層が設けられた厚紙部を箱状に折り曲げ、上下それぞれの左右側に突出している角耳部分を側壁面に添うように折り曲げ接着、結合して全体が矩形箱状となるよう組み立ててなる液体用容器の天面に設けられた筒状注出部を有する注出口本体と前記筒状注出部に取り付けられたキャップとからなる注出口を備えていて、前記キャップを開いたとき開封刃が自動的にアルミ箔等の封止フイルムを突き破り、キャップを封じたときに開封刃が上昇し、封止フイルムを引きちぎるのを防止することができるという液体容器用注出口（たとえば特開平８−１３３３２４に開示されている。）が設けられた液体用容器もある。【０００４】  さらに、紙パック容器本体の天面に設けられた開口部を覆っている被覆体にパック容器本体の側面に貼付された取り出し用キャップを注ぎ口に突き刺して容器内の液体を取り出し可能とするようにした液体用容器などもある。
【先行技術文献】
【特許文献】
【０００５】
【特許文献１】特開２０００−３１３４３５
【特許文献２】特開平８−１３３３２４
【発明の概要】
【発明が解決しようとする課題】
【０００６】  上記の特開２０００−３１３４３５に開示された液体用容器にあっては、液体用容器内から液体を取り出した後、液体用容器の底の方に未だ液体が残っていることに気づいていない時などに、ストローをストロー刺通用部に刺したまま、捨てようとして液体用容器本体の側壁面をうっかり押圧、変形させ、容器内容積を減少させてしまうと液体より上の内部空気は密封状態になっていて逃げ場がないことから残留液液面に作用し、残留液の方がそのストローを介して押し上げられ突然外部に噴出してしまう課題がある。【０００７】  さらに、液体用容器の天面に注出部が設けられ、該注出部にキャップが取り付けられてなる液体用容器であっては、該液体用容器の中の液体が注出時に「ゴボ、ゴボ」といってどうしてもコップから液体が飛散してしまうおそれもあった。そのときに衣類や周辺を汚してしまう等といった失態も頻発することとなり、これらの経験をしてしまった人から次回の購入を敬遠されてしまうおそれがあった。今後、液体容器の中の液体が突然外部に噴出してしまう事や、いかにして注出時の液体の飛散を無くすことができるかと言う、技術的な改善が望まれている。
【課題を解決するための手段】
【０００８】  本発明は、上記の問題点を解決しようとするもので、請求項１に記載の液体用容器は、原紙に耐水薄膜を設けて成るパック素材を前記耐水薄膜側を内側にして折りたたみ、接着剤により接着して製造される液体用容器であって、前記パック素材を折りたたんで形成される耳部分の前記原紙に空気注入孔を設けたことを特徴とする。
なお、耐水薄膜としては、容器内の液体物を封止できるものであれば良く、たとえばアルミ箔などの金属箔やシート状の合成樹脂膜材やポリエチレン樹脂膜材などの耐水薄膜材を用いることができる。
請求項２に記載の液体用容器は、前記空気注入孔は前記耳部分の折りたたまれた状態の外側に設けられてなることを特徴とする。
【発明の効果】
【０００９】  請求項１に記載の液体用容器は、原紙に耐水薄膜を設けて成るパック素材の前記耐水薄膜側を内側にして折りたたみ、接着剤により接着して製造される液体用容器であって、前記パック素材を折りたたんで形成される耳部分の前記原紙に空気注入孔を設けたことを特徴とするので、請求項１に記載の液体用容器を使用する際は、液体用容器の耳部分を持ち上げ、接着剤で接着された部分をはがし、前記原紙に設けられた前記空気注入孔を覆うように設けられた耐水薄膜を破ることによって液体用容器の中に空気がスムーズに入り、液体物の漏れや飛散を防ぐことができるという効果を発揮する。【００１０】  さらには、液体物をコップに注いだ後に再び耳部分を折り戻すことによって空気が注入されることが少なくなり、中に入っている液体物の漏れを防ぎ、液体物を少しでも長く保存することができるという効果を発揮する。
請求項２に記載の液体用容器の前記空気注入孔は、前記耳部分の折りたたまれた状態の外側に設けられてなることを特徴とするので、前記耳部分の折りたたまれた状態の外側には接着剤による接着の形跡はなく接着剤に対する使用者の抵抗感が少なく好適である。
【図面の簡単な説明】
【００１１】
【図１】本発明の第一の液体用容器を示す斜視図である。
【図２】本発明の第二の液体用容器を示す斜視図である。
【図３】本発明の第三の液体用容器を示す斜視図である。
【図４】本発明の第一の液体用容器を示す側面図である。
【図５】本発明の使用方法を示す斜視図である。
【図６】本発明の空気中注入孔の断面斜視図である。
【図７】本発明の空気中注入孔の断面図である。
【図８】本発明のパック素材の一部を示す平面図である。
【図９】図８の中で示したＡ−Ａ矢視断面図である。
【図１０】従来技術のパック容器を示す斜視図である。
【図１１】特開平８−１３３３２４に開示されている液体容器用注出口を半部断面にした正面図である。
【図１２】キャップの内側に突起物を取り付けたキャップの断面図である。
【図１３】螺合によって開閉可能にした液体容器用注出口の断面図である。
【図１４】ヒンジ部を設けて開閉可能にした液体容器用注出口の断面図である。
【発明を実施するための形態】
【００１２】  以下、本発明の実施の形態を図１、４、５、６、７、８、９、１２、１３、に基づいて説明する。
【００１３】  図１は本発明の第一の液体用容器１１を示す斜視図である。第一の液体用容器１１は原紙１２にアルミ箔等の耐水薄膜１３を貼り合わせて設けて成るパック素材１４を前記アルミ箔１３側を内側にして折りたたみ、接着剤により接着して製造されている。また、折りたたみの際は前記パック素材１４を図８に示す破線の山および耳山の部分を山折れにし、破線の谷の部分を谷折れにして折りたたみ、接着部１６に接着剤をつけて接着され製造されている。なお、破線の耳山の部を山折れにした部分が耳部分１５を構成している。
【００１４】  前記耳部分１５は耳部分１５の内側に接着剤をつけて第一の液体用容器１１の側面部に接着されている。空気注入孔１は前記耳部分１５の折りたたまれた状態の外側に設けられている。なお、図６および図９に示すように使用前の液体用容器１１の耳部分１５の空気注入孔１及び液体物の注ぎ口１７はアルミ箔等の耐水薄膜１３で覆われていて、液体用容器１１は密閉状態となっている。また、図１に示す第一の液体用容器１１では、図１３に示すように前記注ぎ口１７に筒状の注出口本体２１が取り付けられ、前記注出口本体２１にキャップ１８が螺合されている。
【００１５】  次に、本発明の第一の液体用容器１１の使用方法を説明する。液体用容器１１の耳部分１５を図５の２の方向に持ち上げ、接着剤で接着された部分をはがし、次に空気注入孔１を覆っているアルミ箔等の耐水薄膜１３を割り箸等の棒状の突起物を用いて突き刺し、液体用容器１１内に空気が注入される状態にする。次に液体用容器１１の天面に設けられた注出口本体２１に螺合されたキャップ１８を螺脱方向に回転しキャップ１８を取り外す。次に、注ぎ口１７を覆っている耐水薄膜としてのアルミ箔１３を割り箸等の棒状の突起物を用いて突き刺し容器内の液体物を注出可能にする。そして、注出口本体２１を下側にして液体用容器１１を傾けコップなどに液体物を注ぐ。
【００１６】  さらに上記のように液体物をコップなどに注いだ後、残った液体物を保存する場合は、キャップ１８を注出口本体２１に螺合し、耳部分１５を図７の３の方向に折り戻し、保存することができるので、液体用容器１１の側壁面をうっかり押圧、変形させたような場合でも残留液体物が突然外部に噴出することが防止できる。また、液体用容器１１を転倒させた場合でも残留液体物が漏れ出す量を減らすことができる。
なお、上記の実施形態ではアルミ箔等の耐水薄膜１３を用いた例を示したが耐水薄膜はアルミ箔１３に限られず、シート状のポリエチレン樹脂膜材や合成樹脂膜材等を設けたものを用いることができる。
又、前記原紙１２に設けられた前記空気注入孔１を覆うように設けられたアルミ箔等の耐水薄膜１３を破るための棒状の突起物７を前記キャップ１８の内側に図１２に示すように設けておくと好都合である。
【００１７】  さらに、アルミ箔等の耐水薄膜１３を破るための手段としては上記に限らず、図１１に示すようにキャップの開蓋動作に連動させて開封刃により自動的に封止フイルムを突き破るようにすると共に、キャップを閉じた時に開封刃が上昇し封止フイルムを引きちぎるのを防止するように構成したキャップの内側に棒状の突起物７を設けることも適用とすることができる。
なお、注出口本体２１については、図１３に示すようにキャップ１８を前記注出口本体２１に螺合する例を示したが、図１４に示すようにキャップ１８を注出口本体２１にヒンジ部６を介して設け、該キャップ１８を前記ヒンジ部６を中心点として揺動させることにより注ぎ口１７を開閉するようにしたものでも良い。
【００１８】  次に、第二の液体用容器１１及び第三の液体用容器１１について図２及び図３に基づいて説明する。まず、図２に示された第二の液体用容器１１においては、液体用容器１１の天面にアルミ箔等の耐水薄膜１３で覆われた注ぎ口１７が設けられていて、液体用容器１１の側面に取り出し用１キャップ１９が貼付された例であって、液体用容器１１の耳部分１５を図５の２の方向に持ち上げ接着剤で接着された部分をはがし、第二の液体用容器１１の側面に貼付された取り出し用キャップ１９を取り外し、該取り出し用キャップ１９の先端部の突起部５を空気注入孔１を覆っているアルミ箔等の耐水薄膜１３に突き刺してアルミ箔等の耐水薄膜１３を破ることによって容器の中に空気が入るようにする。次に注ぎ口１７に設けられたアルミ箔等の耐水薄膜１３に、取り出し用キャップ１９を突き刺して液体物を取り出し可能とし液体物をコップ等に注ぐことができる。
【００１９】  さらに、図３に示された第三の液体用容器１１においては、液体用容器１１の天面にアルミ箔等の耐水薄膜１３で覆われた注ぎ口１７が設けられていて、液体用容器１１の側面にストロー２０が貼付された例であって、液体用容器１１の耳部分１５を図５の２の方向に持ち上げ、接着剤で接着された部分をはがし、第三の液体用容器１１の側面に貼付されたストロー２０を取り外し、該ストロー２０の先端部の突起部５を空気注入孔１を覆っているアルミ箔等の耐水薄膜１３に突き刺してアルミ箔等の耐水薄膜１３を破り液体用容器１１の中に空気が入り、次に、アルミ箔等の耐水薄膜１３にストロー２０を突き刺し耐水薄膜１３を破り液体物を取り出し可能にし、ストロー２０を介して液体物を注出することができる。
【００２０】  なお、第二の液体用容器１１であっても第三の液体用容器１１であっても液体用容器の中の液体物を取り出した後、残った液体物を保存する場合は耳部分１５を図７の３の方向に折り戻すことで液体用容器１１の中に空気が注入されることが少なくなり、液体用容器１１の中の残留液体物が液体用容器の外へ漏れることを防ぐことができ、液体用容器の側壁面をうっかり押圧、変形させたような場合でも、液体用容器を転倒させた場合でも残留液体物が漏れ出す量を減らすことができる。さらに、液体用容器１１の中の液体物を少しでも長く保存することができるという効果が期待される。
【産業上の利用可能性】
【００２１】  以上、詳細に説明したように、本発明の構成を取り入れることによって液体用容器１１の中に空気が入り液体物が飛散するのを防止することができるようになり、利便性がより一層高まり利用者が安心して使用することができる。【００２２】  このことによって使用頻度が増し、購買市場も今までより大きく拡大される。又、本発明の構造を取り入れた液体用容器１１の製造工程において、図９における厚紙１２に空気注入孔１を設けることにより従来技術の液体用容器１１が抱える問題とされる液体が飛散するという課題を解決することができる。【００２３】  本発明は、液体用容器１１の耳部１５に空気注入孔１を設けることにより液体用容器１１内の液体物が注出口から漏れたり飛散したりするのを防ぐことができるという効果を発揮するもので、産業財産権標準テキスト（特許編）の「特許法上の発明とは」の中に産業上の利用価値があれば、考案、改良品でも可とあり、まさしくこの事項に該当するものである。
【符号の説明】
【００２４】    １、空気注入孔
５、突起部
６、ヒンジ部
７、突起物
１１、液体用容器
１２、原紙
１３、耐水薄膜（アルミ箔等）
１４、パック素材
１５、耳部分
１６、接着部
１７、注ぎ口
１８、キャップ
１９、取り出し用キャップ
２０、ストロー
２１、注出口本体
【図１】
2014125278.tif 000003
【図２】
2014125278.tif 000004
【図３】
2014125278.tif 000005
【図４】
2014125278.tif 000006
【図５】
2014125278.tif 000007
【図６】
2014125278.tif 000008
【図７】
2014125278.tif 000009
【図８】
2014125278.tif 000010
【図９】
2014125278.tif 000011
【図１０】
2014125278.tif 000012
【図１１】
2014125278.tif 000013
【図１２】
2014125278.tif 000014
【図１３】
2014125278.tif 000015
【図１４】
2014125278.tif 000016